(57)【要約】【課題】使用者の顔の一部を見やすくする補助化粧鏡を収納可能に備えた洗面化粧台を提供する。【解決手段】本発明は、洗面台２と、この洗面台の前面よりも後方かつ上方に配置されたキャビネット６と、を備えた洗面化粧台１であって、キャビネットの前面に取り付けられた主化粧鏡８，１０，１２と、キャビネットの下部でその正面が外部に露出すると共にその上面と下面が収納され、この収納された状態から水平方向に前方に引き出して使用される引出し１４と、この引出しの下面１４ａに配置され、且つその前端部で引出しの幅方向に沿って延びる回動軸１６ａを中心に回動可能となっている補助化粧鏡１６と、上記補助化粧鏡の外周部につまみ部と、を有する。【選択図】図１
2007195776.tif 000002
【特許請求の範囲】
【請求項１】
洗面台と、この洗面台の前面よりも後方かつ上方に配置されたキャビネットと、を備えた洗面化粧台であって、
上記キャビネットの前面に取り付けられた主化粧鏡と、
上記キャビネットの下部でその正面が外部に露出すると共にその上面が収納され、この収納された状態から水平方向に前方に引き出して使用される引出しと、
この引出しの上面又は下面のいずれか一方に配置された補助化粧鏡であって、この補助化粧鏡の前端部又は後端部の一方の端部で引出しの幅方向に沿って延びる回動軸を中心に回動可能となっている上記補助化粧鏡と、
上記補助化粧鏡の外周部につまみ部と、を有することを特徴とする洗面化粧台。
【請求項２】
上記補助化粧鏡は、上記引出しの下面に沿って水平方向に延び、その前端部が、上記引出しの前端部に設けられた回動軸を中心に回動可能となっている請求項１記載の洗面化粧台。
【請求項３】
上記補助化粧鏡は、上記引出しの上面に沿って水平方向に延び、その前端部が、上記引出しの前端部に設けられた回動軸を中心に回動可能となっている請求項１記載の洗面化粧台。
【請求項４】
上記補助化粧鏡は、上記引出しの下面に沿って前方に移動可能であり、この前方に移動した状態で、その後端部が上記引出しの前端部に設けられた回動軸を中心に回動可能となっている請求項１記載の洗面化粧台。
【請求項５】
上記補助化粧鏡は、少なくともその鏡面の一部が上記引出しの正面よりも前方に位置するように上記回動軸を中心に回動可能である請求項１乃至４のいずれか１項に記載の洗面化粧台。
【請求項６】
上記引出しを水平前後方向に出し入れするのに要する上記引出しの水平前後方向に加わる力は、上記補助化粧鏡を上記回動軸を中心に回動させるのに要する力の水平前後方向成分の力よりも大きい請求項１乃至５のいずれか１項に記載の洗面化粧台。
【発明の詳細な説明】
【技術分野】
【０００１】
本発明は、洗面化粧台に係り、特に、使用者の特定箇所を映し出す補助鏡を収納可能に備えた洗面化粧台に関する。
【背景技術】
【０００２】
従来から、洗面化粧台は、洗面台の上方に収納室を形成するキャビネットが配置され、このキャビネットの正面側のパネルに化粧鏡を配置されているものが一般的となっている。また、このような従来の洗面化粧台には、例えば、特許文献１及び特許文献２に記載されているように、使用者が目元や口元の化粧メイクやコンタクトレンズの付け替え等を行う際に、キャビネットの正面パネルに配置された化粧鏡とは別に、顔の一部を映し出すための補助化粧鏡がキャビネットの一部に設けられているものが知られている。
【０００３】
【特許文献１】実開昭５７−９３２２９号公報
【特許文献２】実開昭５７−１２６８３４号公報
【発明の開示】
【発明が解決しようとする課題】
【０００４】
上述した特許文献１に記載されている従来の洗面化粧台においては、補助化粧鏡がキャビネット内に水平前後方向に取り出し可能に収納されており、補助化粧鏡を使用する際には、補助化粧鏡が案内レールに沿ってキャビネットから正面側に摺動され、鏡面がキャビネットの前面パネル面よりもわずかに前方で平行に設定されるようになっている。しかしながら、上述した従来の洗面化粧台においては、使用状態の補助化粧鏡をキャビネットのさらに前方へ距離を調整したり、補助化粧鏡の鏡面の角度を任意に変えることができないため、使用者の方から補助化粧鏡に近づく等して距離を調整しなければならず、使い勝手が悪いという問題がある。
また、特許文献２に記載されている従来の洗面化粧台においては、キャビネットの最下部に設けられた引出しの前面が補助化粧鏡を兼ねており、この補助化粧鏡が上方に回動可能となっており、引出しを出し入れすることによって使用者と補助化粧鏡の距離を調整したり、補助化粧鏡を回動させることによって鏡面の角度を調整することができるようになっている。しかしながら、上述した従来の洗面化粧台においては、補助化粧鏡の鏡面を大きくするには、引出しの前面そのものの大きさを大きく設定しなければならず、洗面化粧台の前でいす等に座ったままの状態で補助化粧鏡を使用しながら引出しの中身を出し入れする場合、引出しの中身が大きな補助化粧鏡によって覗きにくく使いにくくなるという問題がある。また、これとは反対に、引出しの使いやすさを優先して引出しの前面（補助化粧鏡）を小さく設定してしまうと、鏡面が小さく視野の狭い大変使いにくい補助化粧鏡となってしまうという問題がある。
【０００５】
そこで、本発明は、上述した従来技術の問題を解決するためになされたものであり、使用者の顔等の特定箇所を映す補助化粧鏡を収納可能に備え、補助化粧鏡の位置や姿勢を好みに応じて調節できる洗面化粧台を提供することを目的としている。
また、本発明は、使用者の体勢に負担をかけずに使用することができ、且つ容易に補助化粧鏡を回動させることが可能な補助化粧鏡を備えた洗面化粧台を提供することを目的としている。
【課題を解決するための手段】
【０００６】
上記の目的を達成するために、本発明は、洗面台と、この洗面台の前面よりも後方かつ上方に配置されたキャビネットと、を備えた洗面化粧台であって、上記キャビネットの前面に取り付けられた主化粧鏡と、上記キャビネットの下部でその正面が外部に露出すると共にその上面が収納され、この収納された状態から水平方向に前方に引き出して使用される引出しと、この引出しの上面又は下面のいずれか一方に配置された補助化粧鏡であって、この補助化粧鏡の前端部又は後端部の一方の端部で引出しの幅方向に沿って延びる回動軸を中心に上記引出しが引き出された状態で回動可能となっている補助化粧鏡と、上記補助化粧鏡の外周部につまみ部と、を有することを特徴としている。
このように構成された本発明の洗面化粧台においては、補助化粧鏡が引出しの上面又は下面のいずれか一方に配置され、且つ補助化粧鏡の前端部又は後端部の一方の端部で引出しの幅方向に沿って延びる回動軸を中心に引出しが引き出された状態で回動可能であるため、補助化粧鏡を使用者側に近づけることができると共に補助化粧鏡の姿勢を所望に調節することができる。また、使用者は座ったままの状態で体勢にほとんど負担をかけずに化粧鏡と補助化粧鏡の双方を適宜使用することができる。さらに、補助化粧鏡が引出しの上面又は下面のいずれか一方に配置されているため、補助化粧鏡の鏡面の大きさを引出しの正面よりも大きく設定することができ、鏡面視野が広く使いやすい。また、補助化粧鏡の外周部にはつまみ部が備えられているため、使用者はつまみ部を掴んで容易に補助鏡を回動させることができる。
【０００７】
本発明において、補助化粧鏡は、引出しの下面に沿って水平方向に延び、その前端部が、引出しの前端部に設けられた回動軸を中心に回動可能となっていることが好ましい。
このように構成された本発明の洗面化粧台においては、補助化粧鏡を使用しない場合には、引出しと共にキャビネットにコンパクトに収納することができる。また、補助化粧鏡が引出しの下面に沿って水平方向に延び、且つ引出しの前端部に設けられた回動軸を中心に回動可能となっているため、補助化粧鏡の鏡面の大きさを引出しの正面よりも大きく設定することができ、鏡面視野が広く使いやすい。
【０００８】
本発明において、補助化粧鏡は、引出しの上面に沿って水平方向に延び、その前端部が、引出しの前端部に設けられた回動軸を中心に回動可能となっていてもよい。
このように構成された本発明の洗面化粧台においては、補助化粧鏡を使用しない場合には、引出しと共にキャビネットにコンパクトに収納することができる。また、補助化粧鏡が引出しの上面に沿って水平方向に延び、且つ引出しの前端部に設けられた回動軸を中心に回動可能となっているため、補助化粧鏡の鏡面の大きさを引出しの正面よりも大きく設定することができ、鏡面視野が広く使いやすい。
【０００９】
本発明において、補助化粧鏡は、引出しの下面に沿って前方に移動可能であり、この前方に移動した状態で、その後端部が引出しの前端部に設けられた回動軸を中心に回動可能となっていてもよい。
このように構成された本発明の洗面化粧台においては、補助化粧鏡を使用しない場合には、引出しと共にキャビネットにコンパクトに収納することができる。また、補助化粧鏡が引出しの下面に沿って前方に移動可能であり、且つその後端部が引出しの前端部に設けられた回動軸を中心に回動可能となっているため、補助化粧鏡の鏡面の大きさを引出しの正面よりも大きく設定することができ、鏡面視野が広く使いやすい。
【００１０】
本発明において、補助化粧鏡は、その鏡面が上記引出しの正面よりも、少なくとも鏡面の一部が前方に位置するように回動軸を中心に回動可能であることが好ましい。
このように構成された本発明の洗面化粧台においては、補助化粧鏡を引出しの正面よりも前方に位置するように回動させると、補助化粧鏡が使用者側に近づくと共に使用者にとって見やすい姿勢になるため、使用者は顔の一部の見たい箇所を補助化粧鏡に適宜映して使用することができる。また、使用者は座ったままの状態で体勢にほとんど負担をかけずに化粧鏡と補助化粧鏡の双方を適宜使用することができる。さらに、補助化粧鏡の鏡面の大きさを引出しの正面よりも大きく設定することができるため、鏡面視野が広く使いやすい。
【００１１】
本発明において、引出しを水平前後方向に出し入れするのに要する引出しの水平前後方向に加わる力は、補助化粧鏡を回動軸を中心に回動させるのに要する力の水平前後方向成分の力よりも大きいことが好ましい。
このように構成された本発明の洗面化粧台においては、補助化粧鏡を使用する際に補助化粧鏡を回動させても引出しが同時に水平前後方向に移動しにくいため、補助化粧鏡の位置や姿勢を好みに応じて調節しやすく、使いやすい。
【発明の効果】
【００１２】
本発明によれば、使用者の顔等の特定箇所を映す補助化粧鏡を収納可能に備え、補助化粧鏡の位置や姿勢を好みに応じて調節できる洗面化粧台を提供することができる。また、使用者の体勢に負担をかけずに使用することができる補助化粧鏡を備えた洗面化粧台を提供することができる。
【発明を実施するための最良の形態】
【００１３】
以下、添付図面を参照した本発明の洗面化粧台の実施形態について説明する。
図１は本発明の第１実施形態による洗面化粧台を示す斜視図であり、図２は本実施形態の洗面化粧台を示す右側面図である。なお、図２においては、参考として洗面化粧台以外にも使用者との位置関係も説明するために、洗面化粧台の前でいすに座っている状態の成人使用者のモデルを合わせて示している。
図１及び図２に示すように、本実施形態の洗面化粧台１は、洗面台２と、この洗面台２の前面２ａよりも後方かつ上方に配置され、かつ収納室４を形成するキャビネット６を備えている。キャビネット６の前面６ａには、キャビネット６の正面側を開放する扉として機能する３面の主化粧鏡８，１０，１２が横方向に並べて配置されている。
また、キャビネット６の下部のほぼ中央、すなわち、キャビネット６の正面中央にある主化粧鏡１０の下方には、水平前後方向に摺動可能に収納される引出し１４が設けられている。この引出し１４の高さ位置は、洗面化粧台１の前でいす１５に座った状態の一般的な成人使用者Ｕの頭部付近とほぼ高さになっている。
【００１４】
さらに、引出し１４の下面１４ａには、補助化粧鏡１６が引出し１４の下面１４ａに沿って水平方向に延び、かつ手前側へ回動可能に配置されている。具体的には、補助化粧鏡１６は、その前端部に回動軸１６ａを備え、この回動軸１６ａは、引出し１４の下面前端または引出し１４の前面パネル１４ｂの裏面下端に設けられかつ引出し１４の幅方向に延びている。引出し１４がキャビネット６から引き出された状態では、補助化粧鏡１６は、回動軸１６ａを中心に前後方向に回動可能となっている。
また、引出し１４を水平前後方向に出し入れするのに要する引出し１４の水平前後方向に加わる力は、補助化粧鏡１６を回動軸１６ａを中心に回動させるのに要する力の水平前後方向成分の力よりも大きくなるように構成されている。
ここで、補助化粧鏡１６が引出し１４の下面１４ａの真下にほぼ平行に配置されている状態の回動角度θを０°とすると、補助化粧鏡１６は図２に示すように回動軸１６ａを中心に時計まわりに回動角度θが約１８０°付近まで回動可能となっている。すなわち、補助化粧鏡１６の回動角度θは、０°〜約１８０°の範囲内の任意の角度に設定することができ、特に、補助化粧鏡１６の回動角度θが０°のときは、補助化粧鏡１６は引出し１４と共にキャビネット６内に収納可能となる。そこで、以下、補助化粧鏡１６の回動角度θを０°に設定した状態における引出し１４に対する補助化粧鏡１６の設定角度を「収納角度」と呼び、補助化粧鏡１６の回動角度θを０°以外に設定した状態における引出し１４に対する補助化粧鏡１６の設定角度を「使用角度」と呼ぶ。
【００１５】
図３は、本実施形態の洗面化粧台において使用角度を９０°より大きく設定した補助化粧鏡と引出しの部分を斜め上方から見た部分拡大斜視図である。また、図４は、本実施形態の洗面化粧台において使用角度を９０°未満に設定した補助化粧鏡と引出しの部分を斜め下方から見た部分拡大斜視図である。さらに、図５は、本実施形態の洗面化粧台において収納角度に設定した補助化粧鏡と引出しの部分を斜め下方から見た拡大した部分拡大斜視図である。
図３に示すように、引出し１４の内部には、外周部が立ち上がったトレイ形状の仕切りトレイ１８が着脱自在に配置されている。この仕切りトレイ１８の内部は、任意の個数の仕切り及び／または区画ケース１８ａ，１８ｂ，１８ｃ，１８ｄが着脱可能に取り付けられており、これらの区画ケース１８ａ，１８ｂ，１８ｃ，１８ｄ内に化粧道具やコンタクトレンズ等の小物類の収納物（図示せず）を収納できるようになっている。
なお、図３では、引出し１４をキャビネット６の下部に収納した状態の引出し１４の前面パネル１４ｂの位置を破線で示しているが、このような状態では、引出し１４の前面パネル１４ｂはキャビネット６の下部前面６ａと面一となっている。一方、最大に引き出された状態の引出し１４は水平方向前方へ所定距離以上移動しないように規制されており、使用角度の状態の補助化粧鏡１６の最前端部が洗面台２の前面２ａより奥側、すなわち、主化粧鏡１０と洗面台前面２ａとの間に常に位置するようになっている。
また、図３及び図５に示すように、補助化粧鏡１６のつまみ部１６ｂを含む最大幅ｗは、引出し１４の内部または下面１４ａの幅ｂとほぼ等しいか、この幅ｂよりもわずかに小さく設定することが好ましい。一方、補助化粧鏡１６の縦寸法ｌは、引出し１４の前面パネル１４ｂの高さｈよりも大きく、引出し１４の内部の奥行長さｄとほぼ等しいか、この奥行長さｄよりもわずかに小さく設定することが好ましい。
さらに、図４に示すように、引出し１４の下面１４ａの後部とこれと対向する補助化粧鏡１６の上面の一部にはマグネット２０が設けられており、図５に示すように補助化粧鏡１６を収納角度に設定すると、両マグネット２０が互いに磁気的に結合するようになっている。
なお、両マグネット２０の磁力を調整したり、マグネット２０の取付位置を適宜変更してマグネット２０と回動軸１６ａとの間の距離等を調整することにより、収納角度に設定された状態の補助化粧鏡１６を回動させる際、両マグネット２０の磁気結合を解除して補助化粧鏡１６を回動させ始めるときの力を適宜調整してもよい。
また、図５に示すように、収納角度に設定された状態の補助化粧鏡１６は、各マグネット２０により引出し１４の下面１４ａに固定され、引出し１４と共にキャビネット６の下部へ収納可能となっている。
なお、本実施形態の洗面化粧台１では、キャビネット６の下部に収納された状態の引出し１４及び補助化粧鏡１６の下方は、キャビネット６の下面によって塞がれているが、開放されていてもよい。
【００１６】
つぎに、上述した本発明の第１実施形態による洗面化粧台の作用について説明する。
図２示すように、洗面化粧台１の前でいす１５に座っている状態の成人使用者Ｕが、洗面化粧台１の補助化粧鏡１６に顔の一部を映して化粧メイク、髭剃り、コンタクトレンズの着脱等の作業を行う際、まず、キャビネット６の下部に収納されている引出し１４について前面パネル１４ｂをつかんで手前側に引き出す。その後、収納角度の補助化粧鏡１６のつまみ部１６ｂをつまんで前方斜め下方に向かって力をかけると、引出し１４の下面１４ａと補助化粧鏡１６の上面のマグネット２０における結合が解除され、補助化粧鏡１６が使用者Ｕの方向に向かって所定の回動角度（使用角度）θの範囲内（０°＜θ≦１８０°）で任意に回動される。
また、使用角度に設定された状態の補助化粧鏡１６を使用しない場合には、補助化粧鏡１６を使用角度から収納角度（θ＝０°）まで回動して引出し１４の下面１４ａに取り付けた状態で、引出し１４をキャビネット６の下部へ収納する。
【００１７】
上述した本実施形態の洗面化粧台１によれば、補助化粧鏡１６が引出し１４の下面１４ａに配置され、補助化粧鏡１６がその前端部の回動軸１６ａを中心に回動可能であるため、補助化粧鏡１６を引出し１４の下面１４ａにコンパクトに収納することができる。また、補助化粧鏡１６の縦寸法ｌを引出し１４の前面パネル１４ｂの高さ寸法ｈよりも大きく設定することができ、引出し１４の前面パネル１４ｂを比較的小さく設計しても、補助化粧鏡１６としては鏡面視野を広く使用することができるため、使いやすい。
また、本実施形態の洗面化粧台１によれば、補助化粧鏡１６の使用角度θをほぼ９０°に設定した場合には、補助化粧鏡１６の後端部が最も下方に位置する状態となるが、この補助化粧鏡１６の後端部（最下端部）と洗面台２の上面との間には、使用者Ｕが洗面台２に手を出し入れするのに十分な距離とスペースが確保されているため、洗面台２の洗面器に干渉したり、洗面台２の上面に設けられた水栓（図示せず）の障害物に干渉することもなく、補助化粧鏡１６を使用しながらでも、洗面台２を満足に使用することができる。
さらに、本実施形態の洗面化粧台１によれば、補助化粧鏡１６の使用角度θを９０°より大きく設定した場合には、収納角度の状態における補助化粧鏡１６の後端部が使用角度の状態では補助化粧鏡１６の最前端部となり、補助化粧鏡１６の鏡面が、引き出された状態の引出し１４の前面パネル１４ｂよりも前方に位置するため、補助化粧鏡１６をさらに使用者Ｕ側に近づけることができ、使用者Ｕにとって補助化粧鏡１６をさらに見やすく設定することができる。この際、最大に引き出された状態の引出し１４は水平方向前方へ所定距離以上移動しないように規制されており、使用角度の状態の補助化粧鏡１６の最前端部は、洗面台２の前面２ａより奥側、すなわち、主化粧鏡１０と洗面台前面２ａとの間に常に位置している。したがって、例えば、引出し１４を最大限に引き出し、補助化粧鏡１６を使用角度１８０°回動した状態においても、補助化粧鏡の最前端部が洗面台２の前面２ａよりキャビネット６側に配置され、使用者Ｕが洗面台２の前を通った場合であっても、補助化粧鏡１６にぶつかる恐れがなくなる。
また、本実施形態の洗面化粧台１によれば、使用角度に設定した状態の補助化粧鏡１６は、その全体が常に引出し１４よりも下方に位置しているため、洗面化粧台１の前でいす１５に座った状態の一般的な成人使用者Ｕは、補助化粧鏡１６を常に顔付近とほぼ同じ高さかそれよりも低い高さの位置で使用することができる。したがって、使用者Ｕはいす１５に座った状態のまま目線を変えるだけで、顔全体等を主化粧鏡８，１０，１２で確認しながら、補助化粧鏡１６の使用角度も所定角度の範囲内で任意に調節することにより、目元や口元等の顔の一部を見やすいように補助化粧鏡１６に映して、化粧メイク、髭剃り、コンタクトレンズの着脱等の作業を行うことができる。また、使用者Ｕは、体勢にほとんど負担をかけることなく主化粧鏡８，１０，１２と補助化粧鏡１６を使い分けることができる。
さらに、本実施形態の洗面化粧台１によれば、引出し１４の内部の仕切りトレイ１８内に化粧道具やコンタクトレンズ等の小物類の収納物（図示せず）を収納できるため、引出し１４を引き出した状態で補助化粧鏡１６を使用しながら、適宜引出し１４の仕切りトレイ１８内の収納物を出し入れすることができ、とても使い勝手がよい。
また、本実施形態の洗面化粧台１によれば、引出し１４を収納して補助化粧鏡１６を使用しない状態では、引出し１４及び補助化粧鏡１６の下方が、キャビネット６の下面によって塞がれているため、洗面台２を使用して洗面動作等を行っている際に、飛び跳ねた水が補助化粧鏡１６の鏡面にかかる恐れがないため汚れにくい。
さらに、本実施形態の洗面化粧台１によれば、引出し１４を水平前後方向に出し入れするのに要する引出し１４の水平前後方向に加わる力は、補助化粧鏡１６を回動軸１６ａを中心に回動させるのに要する力の水平前後方向成分の力よりも大きくなるように構成されている。このため、補助化粧鏡１６を使用する際に補助化粧鏡１６を回動させても引出し１４が同時に水平前後方向に移動しにくいため、補助化粧鏡１６の位置や姿勢を好みに応じて調節しやすく、使いやすい。
【００１８】
つぎに、本発明の第２実施形態による洗面化粧台について説明する。
図６は、本実施形態の洗面化粧台における引出しと収納角度に設定された補助化粧鏡の部分を斜め上方から見た部分拡大斜視図である。また、図７は、本実施形態の洗面化粧台における引出しと使用角度に設定された補助化粧鏡の部分を斜め上方から見た部分拡大斜視図である。なお、図６及び図７において、第１実施形態の洗面化粧台と同一の部分については同一の符号を付し、それらの説明は省略する。
図６及び図７に示すように、本実施形態の洗面化粧台においては、補助化粧鏡３０が引出し１４の仕切りトレイ１８の上面側に配置され、手前側へ回動可能に構成されている点で、第１実施形態の洗面化粧台１の補助化粧鏡１６と異なった構成となっている。具体的には、補助化粧鏡３０の前端部に設けられかつ引出し１４の幅方向に延びる回動軸３０ａが引出し１４の前面パネル１４ｂの上端付近に設けられている。補助化粧鏡３０は、引出し１４をキャビネット６から引き出した状態では、回動軸３０ａを中心に収納角度から使用角度まで前後方向に回動可能となっている。
また、収納角度に設定された補助化粧鏡３０は、仕切りトレイ１８を蓋のように覆っており（図６参照）、使用角度に設定された補助化粧鏡３０は、仕切りトレイ１８の上方を開放し、鏡面３０ｂが手前側を向くようになっている（図７参照）。
さらに、補助化粧鏡３０の縦寸法ｌと最大幅ｗは、第１実施形態の洗面化粧台１の補助化粧鏡１６とほぼ等しくなっている。
また、本実施形態の洗面化粧台においても、第１実施形態と同様に、キャビネット６の下部に収納された状態の引出し１４及び補助化粧鏡３０の下方は、キャビネット６の下面によって塞がれているが、開放されていてもよい。
【００１９】
上述した本実施形態の洗面化粧台によれば、第１実施形態の洗面化粧台１と同様に、補助化粧鏡３０がその前端部の回動軸３０ａを中心に回動可能に引出し１４の仕切りトレイ１８上面に配置されるため、補助化粧鏡３０を引出し１４と共にコンパクトに収納することができる。また、補助化粧鏡３０の縦寸法ｌを引出し１４の前面パネル１４ｂの高さ寸法ｈよりも大きく設定することができ、引出し１４の前面パネル１４ｂを比較的小さく設計しても、補助化粧鏡３０としては比較的鏡面視野を広く使用することができるため、使いやすい。
また、第１実施形態の洗面化粧台１と同様に、収納角度の状態における補助化粧鏡３０１６の後端部が使用角度の状態では補助化粧鏡３０の最前端部となり、補助化粧鏡３０の鏡面３０ｂが、引き出された状態の引出し１４の前面パネル１４ｂよりも前方に位置するため、補助化粧鏡３０をさらに使用者側に近づけることができ、使用者にとって補助化粧鏡３０をさらに見やすく設定することができる。
さらに、第１実施形態の洗面化粧台１と同様に、使用角度に設定した状態の補助化粧鏡３０は、その全体が引出し１４よりも下方に位置しているため、洗面化粧台の前でいすに座った状態の一般的な成人使用者は、補助化粧鏡３０を常に顔付近とほぼ同じ高さかそれよりも低い高さの位置で使用することができる。したがって、使用者はいすに座った状態のまま目線を変えるだけで、顔全体等を主化粧鏡８，１０，１２で確認しながら、補助化粧鏡３０の使用角度も所定角度の範囲内で任意に調節することにより、目元や口元等の顔の一部を見やすいように補助化粧鏡３０に映して、化粧メイク、髭剃り、コンタクトレンズの着脱等の作業を行うことができる。また、使用者は、体勢にほとんど負担をかけることなく主化粧鏡８，１０，１２と補助化粧鏡３０を使い分けることができる。
また、本実施形態の洗面化粧台によれば、補助化粧鏡３０を使用しない状態では、補助化粧鏡３０の鏡面３０ｂが引出し１４の仕切りトレイ１８上面に配置されているため、洗面台２を使用して洗面動作等を行っている際に、飛び跳ねた水が補助化粧鏡３０の鏡面３０ｂにかかる恐れがないため汚れにくい。
【００２０】
つぎに、本発明の第３実施形態による洗面化粧台について説明する。
図８は、本実施形態の洗面化粧台における引出しと収納角度に設定された補助化粧鏡の部分を斜め下方から見た部分拡大斜視図である。図９は、本実施形態の洗面化粧台における引出しと使用角度に設定された補助化粧鏡の部分を斜め下方から見た部分拡大斜視図である。なお、図８及び図９において、第１実施形態の洗面化粧台と同一の部分については同一の符号を付し、それらの説明は省略する。
図８及び図９に示すように、本実施形態の洗面化粧台では、補助化粧鏡４０が引出し１４の下面１４ａに配置されている点で、第１実施形態の洗面化粧台１の補助化粧鏡１６と共通しているが、鏡面が上方（引出し１４の下面１４ａ側）に面している補助化粧鏡４０が引出し１４に対して手前側に引き出された状態で回動可能となる点で第１実施形態の洗面化粧台１の補助化粧鏡１６とは異なった構成となっている。具体的には、引出し１４の下面１４ａには、補助化粧鏡４０の両側部４０ａを支持するＬ形状の支持部材４２が設けられている。また、補助化粧鏡４０の両側部４０ａには、その面の前後方向に沿って摺動溝４４が形成されている。さらに、引出し１４の前面パネル１４ｂの下端における補助化粧鏡４０の両側部４０ａが通過する両側部分には、引出し１４の前面パネル１４ｂの幅方向内方に突出して対向する支持突起４６が形成され、これらの突起４６は、補助化粧鏡４０の各摺動溝４４と嵌合している。
なお、本実施形態の洗面化粧台においても、第１及び第２実施形態と同様に、キャビネット６の下部に収納された状態の引出し１４及び補助化粧鏡４０の下方は、キャビネット６の下面によって塞がれているが、開放されていてもよい。
【００２１】
このように構成された本実施形態の洗面化粧台においては、引出し１４と共にキャビネット６内に収納された補助化粧鏡４０を使用する際、まず、引出し１４をキャビネット６から引き出した状態で鏡面が上方（引出し１４の下面１４ａ側）に面している補助化粧鏡４０を手前側に引っ張ると、支持部材４２によって支持されている補助化粧鏡４０が、摺動溝４４と支持突起４６の嵌合によって水平方向前方に案内摺動される。
つぎに、補助化粧鏡４０の摺動溝４４の後端部４４ａが支持突起４６に達すると、図９の破線で示すように補助化粧鏡４０の全体が引出し１４の前面パネル１４ｂよりも水平方向前方に突出した状態となる。この状態において、支持突起４６が補助化粧鏡４０の回動軸となり、補助化粧鏡４０を支持突起４６を中心に下方へ使用角度だけ回動させることにより、補助化粧鏡４０の鏡面が前方の使用者側に向いた状態となる。
また、使用状態の補助化粧鏡４０を引出し１４と共にキャビネット６の下部に収納する際には、補助化粧鏡４０を収納状態から使用状態に設定するまでの工程と逆の工程を行えばよい。
【００２２】
上述した本実施形態の洗面化粧台によれば、第１実施形態の洗面化粧台１と同様に、補助化粧鏡４０が引出し１４の下面１４ａに水平前後方向に摺動可能に取り付けられ、補助化粧鏡４０の全体が引出し１４の前面パネル１４ｂよりも水平方向前方に突出した状態で前面パネル１４ｂの支持突起４６を中心に回動可能であるため、補助化粧鏡４０を引出し１４の下面１４ａにコンパクトに収納することができる。また、補助化粧鏡４０の縦寸法ｌを引出し１４の前面パネル１４ｂの高さ寸法ｈよりも大きく設定することができ、補助化粧鏡４０としては比較的鏡面視野を広く使用することができる。
また、第１及び第２実施形態の洗面化粧台と同様に、補助化粧鏡４０の最前端部（または最下端部）が、引き出された状態の引出し１４の前面パネル１４ｂよりも前方に位置するため、補助化粧鏡４０をさらに使用者側に近づけることができ、使用者にとって補助化粧鏡４０をさらに見やすく設定することができる。
さらに、第１及び第２実施形態の洗面化粧台と同様に、使用角度に設定した状態の補助化粧鏡４０は、その全体が引出し１４よりも下方に位置しているため、洗面化粧台の前でいすに座った状態の一般的な成人使用者は、補助化粧鏡４０を常に顔付近とほぼ同じ高さかそれよりも低い高さの位置で使用することができる。したがって、使用者はいすに座った状態のまま目線を変えるだけで、顔全体等を主化粧鏡８，１０，１２で確認しながら、補助化粧鏡４０の使用角度も所定角度の範囲内で任意に調節することにより、目元や口元等の顔の一部を見やすいように補助化粧鏡４０に映して、化粧メイク、髭剃り、コンタクトレンズの着脱等の作業を行うことができる。また、使用者は、体勢にほとんど負担をかけることなく主化粧鏡８，１０，１２と補助化粧鏡４０を使い分けることができる。
また、本実施形態の洗面化粧台によれば、引出し１４を収納して補助化粧鏡４０を使用しない状態では、引出し１４及び補助化粧鏡４０の下方が、キャビネット６の下面によって塞がれており、補助化粧鏡４０の鏡面も上方（引出し１４の下面１４ａ側）に面しているため、洗面台２を使用して洗面動作等を行っている際に、飛び跳ねた水が補助化粧鏡４０の鏡面にかかる恐れがないため汚れにくい。
【００２３】
次に上述した第一実施形態における、つまみ部１６ｂの別実施形態について図１０、図１１を用いて説明する。なお、図１０及び図１１において、第１実施形態の洗面化粧台と同一の部分については同一の符号を付し、それらの説明は省略する。
本実施形態におけるつまみ部５６ｂは補助化粧鏡５０の外周を取り囲む枠５１を設け、枠５１の両側端部に補助化粧鏡面５０とは逆側に突出した突出部５３を備えている。枠５１と突出部５３とは略垂直に形成されており、補助化粧鏡５０が収納された状態である収納角度（θ＝０°）の時、引き出し１４両側面に備えられたステンレス製のレール５５を突出部５３によって隠蔽するようになっている。ここで、枠５１の両側端部間の長さは引出し１４の両側面に備えられたレール５５間の距離より長く形成されており、突出部５３の上端は引き出し１４上面と略同じ高さとなるように設計されている。このように、収納角度（θ＝０°）の時、引き出し１４両側面に備えられたレール５５を突出部５３によって隠蔽することにより、使用者が引出し１４を前方に引き出して補助化粧鏡５０を回動させる際に誤ってレール５５に手が触れてしまうことを防止できるため、レール５５に手を挟んで怪我をすることを防止できると共に、レール５５の滑り性を高めるためにレール５５表面に付着している油が手に付いて汚れることもない。
【００２４】
更に、突出部５３のレール５５側とは逆の面には幅方向に延びた凹部と凸部が形成されている。したがって、補助化粧鏡５０を回動させる際に使用者にとって、凹凸が手がかりとなり容易に補助化粧鏡５０を回動させることができる。
【図面の簡単な説明】
【００２５】
【図１】本発明の第１実施形態による洗面化粧台を示す斜視図である。
【図２】本発明の第１実施形態による洗面化粧台を示す右側面図である。
【図３】本発明の第１実施形態の洗面化粧台において使用角度を９０°より大きく設定した補助化粧鏡と引出しの部分を斜め上方から見た部分拡大斜視図である。
【図４】本発明の第１実施形態の洗面化粧台において使用角度を９０°未満に設定した補助化粧鏡と引出しの部分を斜め下方から見た部分拡大斜視図である。
【図５】本発明の第１実施形態の洗面化粧台において収納角度に設定した補助化粧鏡と引出しの部分を斜め下方から見た拡大した部分拡大斜視図である。
【図６】本発明の第２実施形態の洗面化粧台における引出しと収納角度に設定された補助化粧鏡の部分を斜め上方から見た部分拡大斜視図である。
【図７】本発明の第２実施形態の洗面化粧台における引出しと使用角度に設定された補助化粧鏡の部分を斜め上方から見た部分拡大斜視図である。
【図８】本発明の第３実施形態の洗面化粧台における引出しと収納角度に設定された補助化粧鏡の部分を斜め下方から見た部分拡大斜視図である。
【図９】本発明の第３実施形態の洗面化粧台における引出しと使用角度に設定された補助化粧鏡の部分を斜め下方から見た部分拡大斜視図である。
【図１０】本発明のつまみ部の別実施形態における補助化粧鏡と引出しの部分を斜め下方から見た部分拡大斜視図である。
【図１１】本発明のつまみ部の別実施形態における補助化粧鏡と引出しの部分を斜め下方から見た拡大した部分拡大斜視図である。
【符号の説明】
【００２６】
１  洗面化粧台
２  洗面台
４  収納室
６  キャビネット
８，１０，１２  主化粧鏡
１４  引出し
１６，３０，４０，５０  補助化粧鏡
１６ａ，３０ａ  回動軸
１６ｂ，５６ｂ  つまみ部
１８  仕切りトレイ
２０  マグネット
４２  支持部材
４４  摺動溝
４６  支持突起
５１  枠
５３  突出部
５５  レール
【図１】
2007195776.tif 000003
【図２】
2007195776.tif 000004
【図３】
2007195776.tif 000005
【図４】
2007195776.tif 000006
【図５】
2007195776.tif 000007
【図６】
2007195776.tif 000008
【図７】
2007195776.tif 000009
【図８】
2007195776.tif 000010
【図９】
2007195776.tif 000011
【図１０】
2007195776.tif 000012
【図１１】
2007195776.tif 000013